(57)【要約】【課題】照明制御システムにおいて、アドレス設定器などを用いて伝送ユニットに設定された設定データを常時バックアップ保存する。【解決手段】照明制御システムＳは、アドレス設定器１０を用いて設定される設定データを記憶する記憶部１ａを有し、当該設定データ及び受信した制御信号に基づいて照明負荷７を制御する伝送ユニット１を備える。バックアップユニット２は、信号線２ｂを介して伝送ユニット１と接続され、伝送ユニット１の記憶部１ａから取得した設定データを常時バックアップ保存する内部メモリを備える。【選択図】図１
2013004505.tif 000002
【特許請求の範囲】
【請求項１】
信号線を介して接続された設定器を用いて設定される設定データを記憶する記憶部と、
前記設定データ及び受信した制御信号に基づいて照明負荷を制御する伝送ユニットとを、を備える照明制御システムにおいて、
信号線を介して前記伝送ユニットに接続され、前記記憶部に記録された設定データを取得してバックアップ保存する内部メモリを有するバックアップ端末器を備える、ことを特徴とする照明制御システム。
【請求項２】
前記伝送ユニットは分電盤内に配置され、
前記バックアップ端末器は、前記分電盤内において、前記伝送ユニットに隣接して配置される、ことを特徴とする請求項１記載の照明制御システム。
【請求項３】
前記バックアップ端末器は、外部記録媒体が挿入されるスロット部、及び通信ケーブルが接続される接続口の少なくとも一方を備える、ことを特徴とする請求項１又は請求項２に記載の照明制御システム。
【請求項４】
前記バックアップ端末器は、
信号線を介して前記記憶部に記憶された設定データを前記内部メモリにバックアップ保存するときに押下されるデータバックアップ用スイッチと、
前記記憶部、外部記録媒体又は前記通信ケーブルの少なくとも１つにデータを書き出すときに押下されるデータ書き出し用スイッチと、
前記外部記録媒体及び前記通信ケーブルから前記内部メモリにデータを取り込むときに押下されるデータ取り込み用スイッチと、を備えることを特徴とする請求項３記載の照明制御システム。
【請求項５】
前記外部記録媒体、又は前記通信ケーブルに接続される汎用パソコンをさらに備え、
前記汎用パソコンは、
少なくとも前記外部記録媒体又は前記通信ケーブルを介して取得した設定データを記憶する記憶手段と、
前記記憶手段に記憶される設定データをディスプレイに表示する表示手段と、
前記表示手段に表示された前記設定データをキーボード及びマウスを介して編集する編集手段と、
前記編集手段における編集前又は編集後の前記設定データを前記外部記録媒体、前記通信テーブル、及びプリンタの少なくとも１つに出力する出力手段と、を備えることを特徴とする請求項３又は請求項４に記載の照明制御システム。
【請求項６】
前記編集手段は、前記照明負荷のアドレス毎の制御名称、前記照明負荷の設定内容、前記照明負荷の調光段階、前記照明負荷の接続状態、及び前記照明負荷の登録状態の少なくとも１つを編集可能とする、ことを特徴とする請求項５記載の照明制御システム。
【請求項７】
信号線を介して接続された設定器を用いて設定される設定データを記憶する記憶部と、前記設定データ及び受信した制御信号に基づいて照明負荷を制御する伝送ユニットと、この伝送ユニットと信号線を介して接続され、前記記憶部に記録された設定データを取得してバックアップ保存する内部メモリを有するバックアップ端末器と、を備えた照明制御システムの制御に用いられるコンピュータにおいて読み取り可能なプログラムにおいて、
少なくとも外部記録媒体又は通信ケーブルを介して取得した前記設定データを記憶手段に記憶する記憶ステップと、
前記記憶ステップにおいて記憶された前記設定データをディスプレイに表示する表示ステップと、
前記表示ステップにおいて表示された前記設定データをキーボード及びマウスを介して編集する編集ステップと、
前記編集ステップにおける編集前又は編集後の前記設定データを前記外部記録媒体、前記通信テーブル、及びプリンタの少なくとも１つに出力する出力ステップと、を含むことを特徴とする照明制御システム用のプログラム。
【発明の詳細な説明】
【技術分野】
【０００１】
本発明は、受信した制御信号に基づいて照明負荷を制御する伝送ユニットを備えた照明制御システムに関する。
【背景技術】
【０００２】
従来より、制御対象となる照明負荷の状態を変化させるための壁スイッチや照度センサと、照明負荷が接続されたリレー制御端末器とが信号線を介して伝送ユニットにそれぞれ接続された照明制御システムが知られている。この照明制御システムにおいて、伝送ユニットは、壁スイッチなどから送信される伝送信号に基づいてリレー制御端末器を特定して照明負荷を制御する機能を有する。
【０００３】
例えば、図２６に示す照明制御システムは、伝送ユニット２６１、リモコントランス２６２、照明負荷が接続されるリレー制御端末器２６３、及びリモコンリレー２６４が分電盤２６５内に配置されて構成される。伝送ユニット２６１は、個々のグループアドレス毎に、そのグループに割り当てられる照明器具のアドレスを示したグループ情報などを記憶するメモリを有している。
【０００４】
小型アドレス設定器２６６は、このメモリに記憶されるデータの設定・変更を行うための操作器であり、フル２線式信号線を用いて伝送ユニット２６１に接続される。小型アドレス設定器２６６の液晶画面には、個別制御用アドレスを示す「個別」、グループ制御用アドレスを示す「Ｇ」又はパターン制御用アドレスを示す「Ｐ」のアドレス、照明負荷のアドレス番号や調光レベルなどが表示される。ユーザは、小型アドレス設定器２６６の液晶画面を参照して伝送ユニット２６１の設定データの設定変更を机上で行い、後からフル２線信号線で伝送ユニット２６１に接続して新たな設定データを伝送ユニット２６１に送信する。また、小型アドレス設定器２６６は、伝送ユニット２６１に送信した設定データの内容を保管できる。
【０００５】
アドレス設定スイッチ付きのセレクタスイッチ２６７は、パターン・グループアドレスなどの設定・変更を行うための壁スイッチであり、この設定・変更の内容を伝送ユニット２６１に送信する機能を有する。セレクタスイッチ２６７は、アドレスなどの設定データを汎用パソコンに出力し、汎用パソコンは、受信した設定データをバックアップ保存でき、また、プリンタ２６８に出力して設定データを印刷できる。
【０００６】
ところで、伝送ユニットを備え、情報通信ネットワークを通じて遠隔監視制御装置側に設けられた負荷を制御することができる遠隔監視制御システムも知られている（例えば、特許文献１参照）。
【先行技術文献】
【特許文献】
【０００７】
【特許文献１】特開平１０−１３６４６６号公報
【発明の概要】
【発明が解決しようとする課題】
【０００８】
しかしながら、上記従来の照明制御システムや特許文献１に示す制御システムにおいては、伝送ユニットが故障してメモリに記憶した設定データが失われることがある。この場合、小型アドレス設定器２６６や汎用パソコンに保存している設定データを再度、伝送ユニット２６１に送信する必要があるが、この復旧作業に非常に時間を要するという問題がある。また、仮に小型アドレス設定器２６６や汎用パソコンを用いて印刷した紙媒体に以前に設定した設定データが残っていたとしても、その設定データが最新のものかどうか確認できない。 
【０００９】
また、小型アドレス設定器２６６は、ハンディサイズではあるが高価であり、液晶画面が小さいため一覧性が悪く、操作スイッチも限られて操作性が良くない。また、セレクタスイッチ２６７は、高価であり、データの出力の形式が見づらいという問題がある。
【００１０】
さらに、従来の照明制御システムでは、伝送ユニット２６１に設定した設定データを紙出力するには、セレクタスイッチ２６７をプリンタ２６８や汎用パソコンに接続してプリントアウトするしか方法がなく不便である。また、設定データを汎用パソコンに移管しても、汎用パソコンは伝送ユニット１の設定データを編集する機能を有しておらず、設定データの編集・変更はアドレス設定器２６６又はセレクタスイッチ２６７でしかできず不便である。
【００１１】
本発明は、上記課題に鑑みてなされたものであり、アドレス設定器やセレクタスイッチを用いて設定され、伝送ユニットの記憶部に記憶された設定データを常時バックアップ保存できる照明制御システムを提供することを目的とする。
【００１２】
また、汎用パソコンにおいて当該設定データの変更・編集を可能とする照明制御システム及びプログラムを提供することをも目的とする。
【課題を解決するための手段】
【００１３】
上記目的を達成するために本発明は、信号線を介して接続された設定器を用いて設定される設定データを記憶する記憶部と、前記設定データ及び受信した制御信号に基づいて照明負荷を制御する伝送ユニットとを、を備える照明制御システムにおいて、信号線を介して前記伝送ユニットに接続され、前記記憶部に記録された設定データを取得してバックアップ保存する内部メモリを有するバックアップ端末器を備える、ことを特徴とする。
【００１４】
この照明制御システムにおいて、前記伝送ユニットは分電盤内に配置され、前記バックアップ端末器は、前記分電盤内において、前記伝送ユニットに隣接して配置されることが好ましい。
【００１５】
この照明制御システムにおいて、前記バックアップ端末器は、外部記録媒体が挿入されるスロット部、及び通信ケーブルが接続される接続口の少なくとも一方を備えることが好ましい。
【００１６】
この照明制御システムにおいて、前記バックアップ端末器は、信号線を介して前記記憶部に記憶された設定データを前記内部メモリにバックアップ保存するときに押下されるデータバックアップ用スイッチと、前記記憶部、外部記録媒体又は前記通信ケーブルの少なくとも１つにデータを書き出すときに押下されるデータ書き出し用スイッチと、前記外部記録媒体及び前記通信ケーブルから前記内部メモリにデータを取り込むときに押下されるデータ取り込み用スイッチと、を備えることが好ましい。
【００１７】
この照明制御システムにおいて、前記外部記録媒体、又は前記通信ケーブルに接続される汎用パソコンをさらに備え、前記汎用パソコンは、少なくとも前記外部記録媒体又は前記通信ケーブルを介して取得した設定データを記憶する記憶手段と、前記記憶手段に記憶される設定データをディスプレイに表示する表示手段と、前記表示手段に表示された前記設定データをキーボード及びマウスを介して編集する編集手段と、前記編集手段における編集前又は編集後の前記設定データを前記外部記録媒体、前記通信テーブル、及びプリンタの少なくとも１つに出力する出力手段と、を備えることが好ましい。
【００１８】
この照明制御システムにおいて、前記編集手段は、前記照明負荷のアドレス毎の制御名称、前記照明負荷の設定内容、前記照明負荷の調光段階、前記照明負荷の接続状態、及び前記照明負荷の登録状態の少なくとも１つを編集可能とすることが好ましい。
【００１９】
また、本発明は、信号線を介して接続された設定器を用いて設定される設定データを記憶する記憶部と、前記設定データ及び受信した制御信号に基づいて照明負荷を制御する伝送ユニットと、この伝送ユニットと信号線を介して接続され、前記記憶部に記録された設定データを取得してバックアップ保存する内部メモリを有するバックアップ端末器と、を備えた照明制御システムの制御に用いられるコンピュータにおいて読み取り可能なプログラムにおいて、少なくとも外部記録媒体又は通信ケーブルを介して取得した前記設定データを記憶する記憶ステップと、前記記憶ステップにおいて記憶された前記設定データをディスプレイに表示する表示ステップと、前記表示ステップにおいて表示された前記設定データをキーボード及びマウスを介して編集する編集ステップと、前記編集ステップにおける編集前又は編集後の前記設定データを前記外部記録媒体、前記通信テーブル、及びプリンタの少なくとも１つに出力する出力ステップと、を含むことを特徴とする。
【発明の効果】
【００２０】
本発明に係る照明制御システムによれば、設定器を用いて設定され、記憶部に記録された設定データがバックアップ端末器の内部メモリにバックアップ保存されるので、設定データを常時バックアップ保存することができる。
【図面の簡単な説明】
【００２１】
【図１】本発明の実施の形態１に係る照明制御システムの全体構成図である。
【図２】（ａ）同照明制御システムに備わるバックアップユニットの分電盤内での配置の説明図、（ｂ）同上バックアップユニットの正面図、（ｃ）同上バックアップユニットの上面図である。
【図３】同上バックアップユニットの機能ブロック図である。
【図４】（ａ）同上照明制御システムの初期設定時のデータの流れの説明図、（ｂ）同上照明制御システムのデータ変更時のデータの流れの説明図、（ｃ）同上照明制御システムの伝送ユニット交換時のデータの流れの説明図である。
【図５】同上バックアップユニットから外部記録媒体を介して汎用パソコンにデータ移管する説明図である。
【図６】同上バックアップユニットから通信ケーブルを介して汎用パソコンにデータ移管する説明図である。
【図７】（ａ）同上照明制御システムの初期設定時（ＳＤカード有り）の動作手順を示すシーケンス図、（ｂ）同上照明制御システムの初期設定時（ＳＤカードなし）の動作手順を示すシーケンス図である。
【図８】（ａ）同上照明制御システムの設定変更時（ＳＤカード有り）の動作手順を示すシーケンス図、（ｂ）同上照明制御システムの設定変更時（ＳＤカードなし）の動作手順を示すシーケンス図である。
【図９】（ａ）同上照明制御システムのデータ書き出し時（ＳＤカード有り）の動作手順を示すシーケンス図、（ｂ）同上照明制御システムのデータ書き出し時（ＳＤカードなし）の動作手順を示すシーケンス図である。
【図１０】（ａ）同上照明制御システムにおいてＳＤカードへのデータ書き出し時の動作手順を示すシーケンス図、（ｂ）同上照明制御システムにおいてＳＤカードからのデータ取り込み時の動作手順を示すシーケンス図である。
【図１１】（ａ）同上照明制御システムにおいてＳＤカードから伝送ユニットの内部メモリに書き出し完了後にＳＤカードの抜かれた場合の動作手順を示すシーケンス図、（ｂ）同上照明制御システムにおいてバックアップ処理中にバックアップ用スイッチが押下された場合の動作手順を示すシーケンス図である。
【図１２】本発明の実施の形態２に係る照明制御システムに備わる汎用パソコンの機能ブロック図である。
【図１３】（ａ）及び（ｂ）は同上照明制御システムにおけるＰＣ編集用ソフトウェアのダウンロード方法の説明図である。
【図１４】同上汎用パソコンにおける同上編集用ソフトウェアの起動画面の一例を示す図である。
【図１５】（ａ）及び（ｂ）は同上起動画面で「ファイル取り込み」を選択した場合の画面表示例を示す図である。
【図１６】同上起動画面で「件名編集」を選択した場合の画面表示例を示す図である。
【図１７】同上起動画面で「個別」を選択した場合の画面表示例を示す図である。
【図１８】同上起動画面で「パターン」を選択した場合の編集画面の表示例を示す図である。
【図１９】同上編集画面で「消去」を選択した場合の画面表示例を示す図である。
【図２０】同上編集画面で「変更」を選択した場合の設定画面の表示例を示す図である。
【図２１】同上設定画面で「調光段階対応表」を選択した場合の画面表示例を示す図である。
【図２２】同上起動画面で「接続端末状態確認」を選択した場合の画面表示例を示す図である。
【図２３】同上起動画面で「端末登録状態表示」を選択した場合の画面表示例を示す図である。
【図２４】（ａ）及び（ｂ）は同上汎用パソコンにおける印刷時の画面表示の一例を示す図である。
【図２５】（ａ）及び（ｂ）は同上起動画面で「ファイル書き出し」を選択した場合の画面表示例を示す図である。
【図２６】従来の照明制御システムの全体図を示す。
【発明を実施するための形態】
【００２２】
（実施の形態１）
本発明の実施の形態１に係る照明制御システムの構成を図１に示す。この照明制御システムＳは、伝送ユニット１と、バックアップユニット（バックアップ端末器）２と、リレー制御端末器３と、リモコンリレー４と、リモコントランス５と、スイッチ操作器６と、照明負荷７とを備えている。リレー制御端末器３及びスイッチ操作器６は、２線式の信号線３ａを介してバックアップユニット２と相互に接続されている。伝送ユニット１との情報のやり取りは、信号線に割り込み式時分割多重伝送方式で伝送される伝送信号を通して行われる。
【００２３】
照明制御システムＳでは、室内の壁面などに埋め込まれたスイッチ操作器６などを用いて、照明負荷７の調光制御、複数の照明負荷７から一部の照明負荷７の点灯を省く間引き制御や照明負荷７のオン／オフ操作を行うことができる。
【００２４】
伝送ユニット１は、スイッチ操作器６や照度センサなどから送信される伝送信号に基づいて、伝送信号に含まれるアドレス情報から制御対象となる照明負荷７を特定すると共に、照明負荷７に対する制御状態（オン、オフや調光状態）を特定する。この伝送ユニット１は、制御対象となる照明負荷７と対応するリレー制御端末器３に対して、照明負荷７のアドレス情報と、その制御状態とを制御指令信号として送信する制御部を有している。また、伝送ユニット１は、個々のグループアドレス毎に、そのグループに割り当てられる照明負荷７のアドレスを示したグループ情報などを記憶した記憶部１ａを内蔵している。なお、ユーザは、初期設定時やアドレス情報変更時にアドレス設定器１０の液晶画面を参照して設定データの設定変更を机上で行い、後からアドレス設定器１０を、信号線１０ａを介して伝送ユニット１に接続して新たな設定データを記憶部１ａに設定する。
【００２５】
バックアップユニット２は、アドレス設定器などを用いて伝送ユニット１の記憶部１ａに記憶され、グループアドレスやパターンアドレス情報などを含む設定データをバックアップ保存する内部メモリを備えている。内部メモリには、例えば、フラッシュメモリやＥＥＰＲＯＭが用いられる。バックアップユニット２は、アドレス設定器を用いて設定データが更新された場合、自動的に更新された設定データを内部メモリにバックアップ保存する機能を有する。
【００２６】
バックアップユニット２は、図２（ａ）に示すように、分電盤９内の常時電力供給を受け易いように伝送ユニット１のＣＵＰの直下に、隣接して配置され、信号線２ｂを用いて伝送ユニット１と常時接続される。バックアップユニット２は、信号線２ｂを介して入力端子に伝送ユニット１及び出力端子にリレー制御端末器３が接続され、信号線接続のみで駆動可能となる機能を有する。なお、バックアップユニット２のサイズは、図２（ｂ）及び（ｃ）に示すように、例えば幅１００ｍｍ、高さ２４．５ｍｍ、奥行き５６ｍｍである。
【００２７】
リレー制御端末器３は、リレーの制御状態に応じて照明負荷７の状態を制御する負荷制御端末器としての機能を担っている。リレー制御端末器３は、伝送ユニット１からの伝送信号に基づいて、自己に接続するリモコンリレー４のうち、制御対象となる照明負荷７に対応するリモコンリレー４に対して制御信号を送ることにより、リモコンリレー４の状態を制御する。リモコンリレー４の個々のリレーは、リレー制御端末器３に制御されて、ブレーカ電源（ＡＣ１００又は２００Ｖ）８などからの商用交流をオン／オフすることで、照明負荷７をオン状態やオフ状態にする。
【００２８】
リモコントランス５は、リレー制御端末器３、及びリモコンリレー４に駆動用の電力を供給する。
【００２９】
スイッチ操作器６は、照明負荷７を制御するための制御指令を出力するための入力端末器としての機能を担っている。具体的には、スイッチ操作器６は、例えば室内などの任意の壁面に設置されており、照明負荷７を利用するユーザによってプッシュ操作が可能な端末器である。スイッチ操作器６は、スイッチＳＷ（スイッチ手段）のいずれかが操作されるのに応じて、そのスイッチＳＷに関連付けられているアドレス情報と、スイッチＳＷの操作状態とを制御信号として伝送ユニット１に送信する。
【００３０】
このスイッチ操作器６の各スイッチＳＷには、照明負荷７の点灯制御を行うため、アドレス情報として個別アドレスやグループアドレスが設定されている。ここで、グループアドレスは、グループ制御の対象となる照明負荷７のグループを特定するための情報であり、予め設定された個々のグループに付与された番号等がこれに該当する（例えば、「Ｇ１」など）。伝送ユニット１は、照度センサやスイッチ操作器６から調光制御の対象となるグループアドレスを取得した場合、記憶部１ａに記憶しているグループ情報を検索して、このグループアドレスに該当する複数の照明負荷７のアドレスを特定することができる。
【００３１】
なお、照明負荷７を操作する負荷操作器はスイッチ操作器６に限定されるものではない。すなわち、その他の負荷操作器として、検知された照度に基づいて照明負荷７を制御するためアドレス情報や制御情報を含む制御信号を、伝送信号線３ａを介して伝送ユニット１に送信する照度センサや人感センサがある。
【００３２】
照明負荷７は、負荷アドレスによって一意に特定することができる。具体的には、リレー制御端末器３には、負荷チャネル（Ｃｈ）と呼ばれる固有の識別子が割り当てられており、リレー制御端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成され、個々の照明負荷７を特定する。
【００３３】
次に、バックアップユニット２の機能構成に関して図３を参照して説明する。バックアップユニット２は、マイコン２０、内部メモリ２１、データバックアップ用スイッチ２２、データ書き出し用スイッチ２３、データ取り込み用スイッチ２４、ＳＤカードコネクタ２５、フル２線式の信号線２ｂ，３ａに接続された電源及び信号送受信回路２６、入力状態通知用ＬＥＤ２７、出力状態通知用ＬＥＤ２８、及び端末故障通知用ＬＥＤ２９を備える。
【００３４】
マイコン２０は、ＣＰＵを主構成要素とし、伝送ユニット１から取得するデータをメモリ２１に記録するとともに、演算部における演算処理を指令し、レジスタを用いたデータの入出力処理を行うことでバックアップユニット２全体の制御を行う。内部メモリ２１は、伝送ユニット１の記憶部１ａに設定された設定データをバックアップ保存するメモリ部である。データバックアップ用スイッチ２２は、伝送ユニット１から内部メモリ２１に設定データをバックアップ保存する際に押下される操作ボタンである。データ書き出し用スイッチ２３は、内部メモリ２１に記録されているデータを伝送ユニット１、外部記録媒体又は通信ケーブルを介して汎用パソコンのいずれかに書き出すときに押下される操作ボタンである。データ取り込み用スイッチ２４は、外部記録媒体又は通信ケーブルを介して汎用パソコンから内部メモリにデータを取り込むときに押下される操作ボタンである。ＳＤカードコネクタ２５は、ＳＤカード１２が挿入されるカードスロットである。電源及び信号送受信回路２６は、フル２線式信号線２ｂ及び３ａを介して伝送ユニット１及びリレー制御端末器３と接続され、信号の送受信を行うと共に、電源供給を受ける機能をも有する。
【００３５】
入力状態通知用ＬＥＤ２７は、内部メモリ２１へのデータ入力中に点灯するＬＥＤである。出力状態通知用ＬＥＤ２８は、内部メモリ２１から外部記録媒体などにデータ出力中に点灯するＬＥＤであり、端末故障通知用ＬＥＤ２９は、バックアップユニット２の故障状態中に点灯するＬＥＤである。これらＬＥＤ２７，２８の点灯状態により、パターン・グループアドレスなどのデータ入力・出力状態をユーザに通知できる。
【００３６】
次に、バックアップユニット２の運用操作に関して図４を参照して説明する。図４（ａ）に示すバックアップユニット２の初期設定時には、バックアップユニット２に伝送ユニット１からの信号線２ｂを接続する。そして、内部メモリ２１に伝送ユニット１に設定された設定データを取り込む。なお、ＳＤカード１２へ内部メモリ２１のデータを出力するなら、ＳＤカード１２をコネクタ２５に挿入した状態でデータ書き出し用スイッチ２３を押下する。
【００３７】
図４（ｂ）に示す伝送ユニット１の設定データ変更時においては、アドレス設定器１０から伝送ユニット１にデータが設定される。この時、バックアップユニット２は、当該設定を自動的に検知してパターン・グループアドレスなどの設定データが内部メモリ２１にバックアップ保存される。
【００３８】
図４（ｃ）に示す伝送ユニット１の交換時には、データ書き出し用スイッチ２４を押下し、バックアップユニット２の内部メモリ２１に保存されている設定データを伝送ユニット１に出力する。例えば、データ書き出し用スイッチ２３の押下操作に伴って、ＳＤカード１２の挿入時にはＳＤカード１２からのデータ、ＳＤカード１２が未挿入時には内部メモリ２１からのデータが伝送ユニット１に出力される。
【００３９】
次に、バックアップユニット２から汎用パソコン１１に設定データを移管することに関し、図５及び図６を参照して説明する。バックアップユニット２のコネクタ２５に外部記録媒体であるＳＤカード１２やＵＳＢ（Universal Serial Bus）メモリ１３が装着された状態でデータ書き込み用スイッチ２３が押下される。この場合、内部メモリ２１のデータがＳＤカード１２又はＵＳＢメモリ１３に移管される。そして、ＳＤカード１２やＵＳＢメモリ１３を汎用パソコン１１に接続して設定データを汎用パソコン１１に移管する。ユーザはパソコン１１の画面１１ａを介して伝送ユニット１に設定された設定データの内容を参照できる。
【００４０】
図６において、バックアップユニット２は、ＬＡＮケーブル、ＵＳＢケーブル、ＲＳ２３２ｃケーブルなどの通信ケーブルの接続口２ａを有する。通信ケーブル１４は、一端がバックアップユニット２の接続口２ａ、他端が汎用パソコン１１に接続される。この通信ケーブル１４を介して、内部メモリ２１に記録されている設定データを汎用パソコン１１に移管して、ユーザは画面１１ａにおいて設定データの内容を参照できる。
【００４１】
次に、バックアップユニット２の初期設定時の動作に関して図７を参照して説明する。図７（ａ）はＳＤカード１２がコネクタ２５に挿入されている場合であり、最初に、バックアップユニット２のバックアップ用スイッチ２２が押下される（Ｓ７１）。次に、バックアップユニット２は、伝送ユニット１にパターン／グループ（図中においてＰ／Ｇと記載）データの要求を行い（Ｓ７２）、内部メモリ２１に伝送ユニット１の記憶部１ａに記憶されたパターン／グループアドレスデータなどが取り込まれる（Ｓ７３）。そして、データ書き出し用スイッチ２３が押下されると（Ｓ７４）、内部メモリ２１からＳＤカード１２にパターン／グループアドレスデータなどが書き出される（Ｓ７５）。
【００４２】
図７（ｂ）はバックアップユニット２のコネクタ２５にＳＤカード１２が挿入されていない場合であり、最初に、バックアップ用スイッチ２２が押下される（Ｓ７６）。するとバックアップユニット２は、伝送ユニット１に対してパターン／グループアドレスデータの要求を行い（Ｓ７７）、内部メモリ２１に伝送ユニット１の記憶部１ａから取得するパターン／グループアドレスデータなどの設定データが取り込まれる（Ｓ７８）。
【００４３】
次に、バックアップユニット２に記録された設定データの変更時の動作に関して図８を参照して説明する。図８（ａ）はＳＤカード１２がコネクタ２５に挿入されている場合である。最初に、アドレス設定器１０は、伝送ユニット１に記憶されているパターン／グループアドレスデータの変更を行う（Ｓ８１）。次に、バックアップユニット２は、伝送ユニット１への設定データの変更を検知し、変更後の設定データの取得（盗み聞き）をし（Ｓ８２）、内部メモリ２１にバックアップデータを保存する。そして、データ書き出し用スイッチ２３が押下されると（Ｓ８３）、内部メモリ２１からＳＤカード１２に変更後の設定データが書き出される（Ｓ８４）。
【００４４】
図８（ｂ）はバックアップユニット２のコネクタ２５にＳＤカード１２が挿入されていない場合である。最初に、アドレス設定器１０は、伝送ユニット１の記憶されているパターン／グループアドレスデータの変更を行う（Ｓ８５）。次に、バックアップユニット２は、伝送ユニット１への設定データの変更を検知し、変更後の設定データを取得（盗み聞き）して（Ｓ８６）、内部メモリ２１に保存する。なお、設定データの変更の検知は盗み聞きに限定されるものではない。
【００４５】
次に、伝送ユニット１にデータを書き出す動作に関して図９を参照して説明する。図９（ａ）はＳＤカード１２がコネクタ２５に挿入されている場合であり、最初に、データ取り込み用スイッチ２４が押下される（Ｓ９１）。すると、ＳＤカード１２から内部メモリ２１にパターン／グループアドレスデータの書き出しが行われる（Ｓ９２）。また、内部メモリ２１より伝送ユニット１の記憶部１ａにパターン／グループアドレスデータの書き出し処理が継続して行われる（Ｓ９３）。
【００４６】
図９（ｂ）はバックアップユニット２にＳＤカード１２が挿入されていない場合である。最初に、バックアップユニット２のデータ書き出し用スイッチ２３が押下されると（Ｓ９４）、内部メモリ２１より伝送ユニット１の記憶部１ａにパターン／グループアドレスデータが書き出される（Ｓ９５）。
【００４７】
次に、バックアップユニット２の内部メモリ２１の内容をＳＤカード１２に書き出し中にＳＤカード１２の抜かれた場合の動作に関して図１０（ａ）を参照して説明する。最初に、ＳＤカード１２がコネクタ２５に挿入されている状態で、データ書き出し用スイッチ２３が押下されると（Ｓ１０１）、内部メモリ２１のパターン／グループアドレスデータがＳＤカード１２に書き出される（Ｓ１０２）。この途中でＳＤカード１２が抜かれると（Ｓ１０３）、ＳＤカード１２ではデータエラーが発生し（Ｓ１０４）、バックアップユニット２の出力状態通知用ＬＥＤ２８が警告のために点滅する（Ｓ１０５）。
【００４８】
次に、ＳＤカード１２からの設定データをバックアップユニット２の内部メモリ２１に書き込み中にＳＤカード１２の抜かれた場合の動作を図１０（ｂ）を参照して説明する。最初に、ＳＤカード１２がコネクタ２５に挿入された状態でバックアップユニット２のデータ取り込み用スイッチ２４が押下され（Ｓ１０６）、ＳＤカード１２からパターン／グループアドレスデータが内部メモリ２１に取り込まれる（Ｓ１０７）。この途中で、ＳＤカード１２が抜かれると（Ｓ１０８）、内部メモリ２１には途中の完了分までのパターン／グループアドレスデータの書き込みが行われる。そして、内部メモリ２１から伝送ユニット１の記憶部１ａに、完了分までのパターン／グループアドレスデータの書き出し処理が継続される（Ｓ１０９）。その際、バックアップユニット２の入力状態通知用ＬＥＤ２７が警告のために点滅する。
【００４９】
次に、ＳＤカード１２からバックアップユニット２の内部メモリ２１への書き出し完了後に、ＳＤカード１２の抜き出しが行われた場合の動作に関して図１１（ａ）を参照して説明する。最初に、ＳＤカード１２を挿入状態でバックアップユニット２のデータ取り込み用スイッチ２４が押下される（Ｓ１１１）。次に、ＳＤカード１２からバックアップユニット２の内部メモリ２１にパターン／グループアドレスデータの取り込みが行われ完了する（Ｓ１１２）。その後、ＳＤカード１２が抜き出されたとしても（Ｓ１１３）、内部メモリ２１から伝送ユニット１へのパターン／グループアドレスデータ書き出しが継続される（Ｓ１１４）。従って、この場合には警告用ＬＥＤの点滅は生じない。
【００５０】
次に、伝送ユニット１からバックアップユニット２にバックアップ保存中の動作に関して図１１（ｂ）を参照して説明する。最初に、バックアップユニット２のデータバックアップ用スイッチ２２が押下されると（Ｓ１１５）、バックアップユニット２は、伝送ユニット１にパターン／グループアドレスデータの要求を行う（Ｓ１１６）。そして、伝送ユニット１の記憶部１ａから内部メモリ２１にパターン／グループアドレスデータの書き出しが行われる（Ｓ１１７）。この途中で、再度データバックアップ用スイッチ２２が押下されると（Ｓ１１８）、バックアップ動作のキャンセルが発生する（Ｓ１１９）。
【００５１】
以上のように、本実施の形態１に係る照明制御システムＳは、信号線２ｂを介して伝送ユニット１に接続され、伝送ユニット１に記録された設定データを取得してバックアップ保存する内部メモリ２１を有するバックアップユニット１を備える。このため、伝送ユニット１のＣＰＵの寿命や故障などの際に、バックアップユニット２を用いることで、アドレスデータなどの設定データの復旧作業が極めてスムーズになり、照明制御システムＳ全体の復旧作業の期間を大幅に短縮できる。
【００５２】
（実施の形態２）
本発明の実施の形態２について、図１２乃至図２５を参照して説明する。なお、上記実施の形態１に係る照明制御システムＳと同様の構成には同符号を付し、その詳細な説明は省略する。また、汎用パソコン１１がバックアップユニット２から設定データを取得する手順は上記実施の形態１において示した図５及び図６と同様であり、ＳＤカードなどの外部記録媒体を用いて設定データを取得するものである。なお、設定データのファイル形式には例えばＣＳＶ（Comma Separated Values）ファイルが用いられる。
【００５３】
本実施の形態２に係る照明制御システムＳに備わる汎用パソコン１１の機能構成に関して図１２を参照して説明する。汎用パソコン１１は、表示部１１ａ、記憶部１１ｂ、出力部１１ｃ、編集部１１ｄ、及び制御部１１ｅを備える。
【００５４】
表示部１１ａは、記憶部１１ｂに記憶される設定データを表示するディスプレイである。記憶部１１ｂは、少なくとも外部記録媒体又は通信ケーブルを介して取得した伝送ユニット１の設定データを記憶する。出力部１１ｃは、編集前又は編集部１１ｄにおける編集後の設定データを外部記録媒体、通信テーブル、及びプリンタの少なくとも１つに出力する。編集部１１ｄは、表示部１１ａに表示された設定データを編集するキーボード及びマウスである。制御部１１ｅは、プログラムの命令に従って演算部での演算処理やデータの入出力処理を行う。この汎用パソコン１１には、伝送ユニット１の設定データをディスプレイ上で編集する編集用ソフトウェア（プログラム）がインストールされ、このプログラムは上記各処理部の動作を制御することで、伝送ユニット１の設定データの変更・編集を可能にする。
【００５５】
次に、汎用パソコン１１に編集用ソフトウェアをダウンロードする方法に関して図１３を参照して説明する。例えば、図１３（ａ）に示すホームページ１３１上の照明制御システムのカタログページより「編集用ソフトダウンロード（１３２）」の項目をクリックする。次に、図１３（ｂ）の画面１３３において、名前、会社名、電話番号、メールアドレスなどの基本情報を入力し、「ダウンロード（１３４）」をクリックすると、汎用パソコン１１に編集用ソフトウェアがダウンロードされる。
【００５６】
次に、汎用パソコン１１において編集用ソフトウェアを起動した時の起動画面を、図１４を参照して説明する。この起動画面１４１には、例えばタイトルが「フル２線式リモコン  パターン・グループアドレス編集画面」と表示される。また、外部記録媒体などから汎用パソコン１１にファイルを取り込む「ファイル取り込み（１４２）」、外部記録媒体にファイルを書き込む「ファイル書き出し（１４３）」が表示される。また、個別アドレスを設定する「個別（１４４）」、パターンアドレスを設定する「パターン（１４５）」、グループアドレスを設定する「グループ（１４６）」がアドレス情報の編集のため表示される。また、件名を編集する「件名編集（１４７）」、照明負荷７の接続状態を確認する「接続端末状態確認（１４８）」、照明負荷７の登録状態を表示する「端末登録状態表示（１４９）」、編集を終了する「終了（１５０）」も画面１４１に表示される。
【００５７】
次に、起動画面１４１において「ファイルの取り込み（１４２）」を選択した場合の画面表示例を、図１５を参照して説明する。この場合、例えば、図１５（ａ）に示す画面１５１に移行し、外部記録媒体に記録されているファイル情報がＧＵＩ（Graphical User Interface）表示される。次に、ユーザは取り込みを行うファイル（本図では京都南病院（１５２））を選択して、ファイル名（１５３）の欄でファイル名称（本図では「京都南病院」）を登録し、「保存（１５４）」を選択する。すると、図１５（ｂ）に示すファイルの取り込みの完了通知１５５が表示される。なお、編集画面１４１に表示される更新日は自動的に更新される。
【００５８】
次に、起動画面１４１において「件名編集（１４７）」を選択した場合の画面表示例を、図１６を参照して説明する。この場合、件名の設定画面１６１に移行し、件名（１６２）を入力し、更新日（１６３）は自動登録され、「ＯＫ（１６４）」をクリックすると件名編集が完了する。
【００５９】
次に、起動画面１４１において「個別（１４４）」を選択した場合の画面表示例を、図１７を参照して説明する。この場合、画面１７１に移行して、ユーザは照明負荷７に付与された「アドレス（１７２）」に対応する「制御名称（１７３）」の入力が可能であり、アドレス「０−１」に対応する制御名称は「会議室」などと一覧認識できる。また、「アドレス（１７２）」の欄は、アドレス（１７２）に対応する照明負荷７が存在する場合には「赤」、存在しない場合には「緑」などと色分けして表示され、各照明負荷７の接続状態が視覚的に分かるように表示される。登録ボタン（１７４）をクリックすると、変更内容を保存してトップ画面である起動画面１４１に戻り、キャンセル（１７５）をクリックすると変更内容を破棄して起動画面１４１へ戻る。このように、画面１７１を完成図書として使用でき、この画面１７１を介して、制御名称（１７３）の変更ができ、制御内容の編集を行わない個別制御の回路についても名称設定が可能となる。
【００６０】
次に、起動画面１４１において「パターン（１４５）」を選択した場合の画面表示例を、図１８を参照して説明する。この場合、編集画面１８１に移行して、ユーザは照明負荷７のアドレス（１８２）、制御名称（１８３）、設定内容（１８４）、フェード時間（１８５）を編集できる。フェード時間（１８５）は、例えば、プルダウン方式で「なし」、「３秒」、「６秒」、「１分」などから自由に選択設定できる。また、登録ボタン（１８６）をクリックすると、変更内容を保存して起動画面１４１に戻り、キャンセル（１８７）をクリックすると変更内容を破棄して起動画面１４１へ戻る。さらに、コピー（１８８）を選択すると、メッセージ１８９が表示され、コピー先のアドレスを入力することで、アドレス（１８２）が異なるが設定内容（１８４）が同じとなる他のアドレス（１８２）の設定内容（１８４）をコピーできる。このため、同じ制御内容（１８４）を再度入力する手間を省くことができる。このように、制御対象となる照明負荷７を一覧性のある画面１８１で確認でき、他のアドレス（１８２）の照明負荷７と同じ制御内容（１８４）を設定する場合は、コピーや一括での編集も可能となる。
【００６１】
次に、編集画面１８１において「消去（１９０）」を選択した場合の画面表示例を、図１９を参照して説明する。この場合、メッセージ１９１が表示されて消去するパターンアドレスの選択、又は全てのパターン登録内容の消去を選択する。そして、「ＯＫ」ボタンをクリックすると、「Ｐ１からＰ１８の登録内容を消去します。よろしいですか。」などの更なるメッセージ１９２が表示され、「ＯＫ」をクリックすることで「消去しました。」などの消去完了のメッセージ１９３が表示される。
【００６２】
次に、編集画面１８１において「変更（１９４）」を選択した場合の画面表示例を、図２０を参照して説明する。この場合、設定画面２０１に移行し、各照明負荷７のアドレス（２０２）に対応するＯＮ／ＯＦＦ（２０３）、タイマー時間（２０４）、調光レベル（２０５）が一覧表示される。このタイマー時間（２０４）は、プルダウンで制御内容を設定し、オートフィル機能で同じ設定内容を連続で設定できるようになっている。調光レベル（２０５）を設定することで調光段階の切り替えができる。また、「調光１２８段階（２０６）」を選択すると、調光段階を７段階と１２８段階で選択可能となり、トグルで表示を切り替えることができる。また、複数の照明負荷７に対応するアドレス（２０２）において一括設定が可能なグループの場合にはオールon（２１０）、オールoff（２１１）、オールクリアー（２１２）及びパターン反転（２１３）を選択することができる。
【００６３】
次に、設定画面２０１において「調光段階対応表（２０７）」を選択した場合の画面表示例を、図２１を参照して説明する。この場合、調光段階の対応表２１４が表示される。この対応表２１４には、「照明負荷の明るさ（２１４ａ）」、「調光スイッチＬＥＤ点灯数（２１４ｂ）」、「１２８段階調光レベル（２１４ｃ）」、「７段階パターン制御登録レベル（２１４ｄ）」、この７段階パターン制御登録レベル（２１４ｄ）を１２８段階調光レベル（１２４ｆ）に変換したことを示す「変換（２１４ｅ）」、「１２８段階調光レベル（２１４ｆ）」などが表示される。
【００６４】
次に、起動画面１４１から「接続端末状態確認（１４８）」をクリック選択した場合の画面表示例を図２２に示す。この場合、確認画面２２１に移行し、「アドレス（２２２）」に対応する照明負荷７の「接続有無（２２３）」の状態が表示される。この接続有無（２２３）では、「使用状態⇒○」、「空き状態⇒表示なし」とされ、ユーザは照明負荷７の使用状況を、確認画面２２１を介して一覧で確認することができる。なお、「戻る（２２４）」をクリックすると起動画面１４１に戻る。
【００６５】
次に、起動画面１４１から「端末登録状態表示（１４９）」をクリック選択した場合の画面表示例を図２３に示す。この場合、画面２３１に移行し、「アドレス（２３２）」における「登録パターン・グループ表示（２３３）」において登録されているパターン／グループアドレスを一覧表示して、ユーザは端末登録状態を一覧として確認できる。このように、照明制御システムＳにおける照明負荷７のパターン・グループアドレスへの登録状態が画面２３１を介して一覧で確認できる。なお、「戻る（２３４）」をクリックすると起動画面１４１に戻る。
【００６６】
次に、汎用パソコン１１において、表示画面を印刷する手順を、図２４を参照して説明する。起動画面１４１から例えば「パターン（１４５）」が選択されると、図２４（ａ）に示す画面２４１が表示される。ユーザが画面２４１から「印刷（２４２）」を選択すると図２４（ｂ）に示す印刷範囲の選択のためのメッセージ２４３が表示され、「空きアドレスも印刷する」、又は「登録アドレスのみ印刷する」を選択して、「印刷」をクリックすることで印刷を開始できる。このため、ユーザは、汎用パソコン１１で起動画面１４１から任意に選択した各画面をプリントアウトして、完成図書として保存・利用できる。
【００６７】
次に、起動画面１４１において「ファイル書き出し（１４３）」を選択した場合の画面表示例を、図２５を参照して説明する。この場合、図２５（ａ）に示す画面２５１に移行し、外部記録媒体や通信ケーブルを用いて汎用パソコン１１に書き出し可能なファイル情報が表示される。次に、ユーザは書き出しを行うファイル（２５２）を選択して、ファイル名（２５３）の欄でファイル名称を登録し、「保存（２５４）」を選択すると図２５（ｂ）に示すファイルの書き出しの完了通知２５５が表示される。
【００６８】
以上の説明のように、本実施の形態２に係る照明制御システムＳにおいて、汎用パソコン１１は、通信接続可能な外部記録媒体や通信ケーブルを介して、バックアップユニット２の内部メモリ２１に保持された伝送ユニット１の設定データを取得できる。
【００６９】
そして、汎用パソコン１１には、伝送ユニット１に設定される設定データを編集する編集用ソフトウェアがインストールされている。このため、操作性の低い小形アドレス設定器や、印刷データが見にくいセレクタスイッチでしか編集できなかった伝送ユニット１の設定データを、汎用パソコン１１を用いて快適に編集やプリントアウトできる。
【００７０】
また、汎用パソコン１１の画面１１ａでは、当該設定データを完成図書として一覧表示できるため、ユーザは、各アドレスの名称変更、照明負荷７の調光段階の切り替え、照明負荷７の接続状態の確認などを、一覧性が良い状態で編集できる。なお、本発明は、上記実施の形態の構成に限られず、発明の趣旨を変更しない範囲で種々の変形が可能である。
【符号の説明】
【００７１】
１  伝送ユニット
１ａ  記憶部
２  バックアップユニット（バックアップ端末器）
２ａ  接続口
２ｂ  信号線
３  リレー制御用端末器
３ａ  伝送信号線
４  リモコンリレー
５  リモコントランス
６  スイッチ操作器
７  照明負荷
８  ブレーカ電源
９  分電盤
１０  アドレス設定器（設定器）
１０ａ  信号線
１１  汎用パソコン
１１ａ  表示部（表示手段）
１１ｂ  記憶部（記憶手段）
１１ｃ  出力部（出力手段）
１１ｄ  編集部（編集手段）
１１ｅ  制御部
１１  汎用パソコン
１２  ＳＤカード（外部記録媒体）
１３  ＵＳＢメモリ（外部記録媒体）
１４  通信ケーブル
２１  内部メモリ
【図１】
2013004505.tif 000003
【図３】
2013004505.tif 000004
【図４】
2013004505.tif 000005
【図７】
2013004505.tif 000006
【図８】
2013004505.tif 000007
【図９】
2013004505.tif 000008
【図１０】
2013004505.tif 000009
【図１１】
2013004505.tif 000010
【図１２】
2013004505.tif 000011
【図１３】
2013004505.tif 000012
【図１７】
2013004505.tif 000013
【図２０】
2013004505.tif 000014
【図２】
2013004505.tif 000015
【図５】
2013004505.tif 000016
【図６】
2013004505.tif 000017
【図１４】
2013004505.tif 000018
【図１５】
2013004505.tif 000019
【図１６】
2013004505.tif 000020
【図１８】
2013004505.tif 000021
【図１９】
2013004505.tif 000022
【図２１】
2013004505.tif 000023
【図２２】
2013004505.tif 000024
【図２３】
2013004505.tif 000025
【図２４】
2013004505.tif 000026
【図２５】
2013004505.tif 000027
【図２６】
2013004505.tif 000028